(57)【要約】【課題】顧客が安心して売買注文を出すことができるとともに、約定業者がリスクなく約定サービスを維持継続できるようにする。【解決手段】注文受付部１１が、損失補償の内容および投資商品の指定売買価格を含む売買条件を提示し、売り値と数量を含む売り注文と買い値と数量を含む買い注文とを受け付け、注文約定部１２が、受付終了時点に、売買注文のうちから売り買いの値段に基づいて同一数量分ずつ売り注文および買い注文を選択して約定し、約定した売り注文の代金を売り方口座と業者の業者口座との間で決済するとともに、約定した買い注文の代金を買い方口座と業者口座との間で決済し、損失補償処理部１３が、補償期間の満期時に有価証券の資産価値を確認し、損失補償が必要な場合には、損失補償のための損失補償代金を売り方口座と約定業者口座との間および約定業者口座と買い方口座との間で決済する。【選択図】  図１
2017084228.tif 000002
【特許請求の範囲】
【請求項１】
有価証券の資産価値に対する一定補償期間分の損失補償が表章されている投資商品について、買い注文および売り注文を受け付けて約定するための投資商品約定システムであって、
前記損失補償の内容および前記投資商品の業者指定売り値と業者指定買い値を含む売買条件を提示し、これに応じた売り方からの売り値と数量を含む売り注文と、買い方からの買い値と数量を含む買い注文とを受け付ける注文受付部と、
売買注文の受付終了時点において、前記売買注文のうちから売り買いの値段に基づいて同一数量分ずつ売り注文および買い注文を選択して約定し、約定した売り注文の代金を売り方口座と約定業者口座との間で決済するとともに、約定した買い注文の代金を買い方口座と前記約定業者口座との間で決済する注文約定部と、
前記補償期間の満期時に前記有価証券の資産価値を確認し、前記損失補償が必要な場合には、前記投資商品の売買履歴に基づいて、前記損失補償のための損失補償代金を前記売り方口座と前記約定業者口座との間で決済するとともに、前記約定業者口座と前記買い方口座との間で決済する損失補償処理部と
を備えることを特徴とする投資商品約定システム。
【請求項２】
請求項１に記載の投資商品約定システムにおいて、
前記注文約定部は、前記受付終了時点で前記売り注文の数量が前記買い注文の数量より少ない場合、特定の流動性供給業者に対して前記投資商品の調整売りを発注し、これに応じた前記流動性供給業者からの調整売り注文を前記業者指定売り値で受け付けて前記売り注文に加えた後、前記売り注文および前記買い注文のうちから売り買いの値段に基づいて同一数量分ずつ売り注文および買い注文を選択して約定することを特徴とする投資商品約定システム。
【請求項３】
請求項１に記載の投資商品約定システムにおいて、
前記注文約定部は、前記受付終了時点で前記買い注文の数量が前記売り注文の数量より少ない場合、特定の流動性供給業者に対して前記投資商品の調整買いを発注し、これに応じた前記流動性供給業者からの調整買い注文を前記業者指定買い値で受け付けて前記買い注文に加えた後、前記売り注文および前記買い注文のうちから売り買いの値段に基づいて同一数量分ずつ売り注文および買い注文を選択して約定することを特徴とする投資商品約定システム。
【請求項４】
請求項１〜請求項３のいずれかに記載の投資商品約定システムにおいて、
前記注文受付部は、前記売り注文の受付時、前記売り注文の数量分の最大補償額からなる準備補償代金を前記売り方口座の預金から拘束し、
前記損失補償処理部は、前記損失補償代金を決済する際、前記売り方口座で拘束されている前記準備補償代金により前記損失補償代金を決済し、前記準備補償代金から前記損失補償代金を差し引いた残額分に関する拘束を解放することを特徴とする投資商品約定システム。
【請求項５】
有価証券の資産価値に対する一定補償期間分の損失補償が表章されている投資商品について、買い注文および売り注文を受け付けて約定するための投資商品約定システムで用いられる投資商品約定方法であって、
売り注文受付部が、前記損失補償の内容および前記投資商品の業者指定売り値と業者指定買い値を含む売買条件を提示し、これに応じた売り方からの売り値と数量を含む売り注文と、買い方からの買い値と数量を含む買い注文とを受け付ける注文受付ステップと、
注文約定部が、売買注文の受付終了時点において、前記売買注文のうちから売り買いの値段に基づいて同一数量分ずつ売り注文および買い注文を選択して約定し、約定した売り注文の代金を売り方口座と約定業者口座との間で決済するとともに、約定した買い注文の代金を買い方口座と前記約定業者口座との間で決済する注文約定ステップと、
損失補償処理部が、前記補償期間の満期時に前記有価証券の資産価値を確認し、前記損失補償が必要な場合には、前記投資商品の売買履歴に基づいて、前記損失補償のための損失補償代金を前記売り方口座と前記約定業者口座との間で決済するとともに、前記約定業者口座と前記買い方口座との間で決済する損失補償処理ステップと
を備えることを特徴とする投資商品約定方法。
【発明の詳細な説明】
【技術分野】
【０００１】
本発明は、有価証券の資産価値に対する損失補償が表章されている投資商品を約定するための投資商品約定技術に関する。
【背景技術】
【０００２】
従来より、個人や事業者の資産として、預金や不動産とともに株券や債券などの有価証券が広く利用されている。このような有価証券は、市場経済の状況に応じて株価や価額が変動するいわゆる値動きがあり、短期間で大きく変動する場合があり、気が付かないうちに資産価値が低下してしまう場合もある。したがって、このような有価証券に保険をかけて、値動きによる資産価値の低下を軽減したいという社会的要請がある。
【０００３】
従来、有価証券の損失リスクを軽減する作用を持つ投資商品の１つとして、株券プットオプションがあり、例えば東京証券取引所では、この株券プットオプションがオークション方式で売買できるよう市場に上場されている（例えば、非特許文献１など参照）。オークション方式とは、売り注文と買い注文を相対させて同数量分だけ約定するとともに、価格指定のない成行注文を価格指定のある指値注文より優先して約定させ、指値注文の中では、買い指値なら一番高い価格の注文、売り指値なら一番低い価格の注文を優先して約定させる方式である。これにより、株券プットオプションをオークション方式で売買すれば、投資商品の約定を行う約定業者は、顧客（投資家）からの売り買い注文の取り次ぎ業務に徹することができるため、顧客注文を約定業者が引き受ける必要がない。このため、約定業者側のリスクを回避することができる。
【０００４】
また、株券プットオプションをマーケットメイカー方式で売買する方法もある（例えば、非特許文献２など参照）。マーケットメイカー方式は、予め指定された金融機関（マーケットメイカー）が継続的に気配値を提示し続ける方式である。したがって、このマーケットメイカー方式により、約定業者との間で約定する投資商品の売り値・買い値を提示して、すべての顧客注文に相対すれば、顧客側の有価証券の損失リスクを軽減することができる。
【先行技術文献】
【非特許文献】
【０００５】
【非特許文献１】「現物取引システム：arrowhead」，日本取引所グループ，http://www.jpx.co.jp/systems/equities-trading/01.html
【非特許文献２】「くりっく365：注文方法」，GMOクリック証券，https://www.click-sec.com/corp/guide/c365/study/04.html
【発明の概要】
【発明が解決しようとする課題】
【０００６】
しかしながら、このような従来技術では、有価証券の資産価値に対する損失補償が表章されている投資商品を約定するにはそれぞれデメリットがあるため、顧客が安心して投資商品の売買注文を出すことができるとともに、顧客からの売買注文から損失補償の満期時の決済までの一連の処理を約定業者がリスクなく約定サービスを維持継続できるようなシステムを構成することは難しいという問題点があった。
【０００７】
例えば、前述したオークション方式については、東京証券取引所でオークション方式により売買できる株券プットオプションが上場されているものの、ほとんど注文が発注されていないため、価格形成がされていない。このため、顧客が注文を出そうにも適正価格が不明であり、発注が適正価格から大きくかい離した売買価格が約定し不測の損害を被る恐れがあるため、顧客が安心して発注投資商品の売買注文を出すことができない。
また、前述したマーケットメイカー方式については、顧客からの売買注文を約定業者が引き受けて約定するため、売買約定数が異なった場合には約定業者側で損失が発生する場合もあり、場合によっては約定業者にとって過大なリスクとなり、約定サービスの維持継続が困難になる。
【０００８】
本発明はこのような課題を解決するためのものであり、顧客が安心して売買注文を出すことができるとともに、約定業者がリスクなく約定サービスを維持継続できる投資商品約定技術技術を提供することを目的としている。
【課題を解決するための手段】
【０００９】
このような目的を達成するために、本発明にかかる投資商品約定システムは、有価証券の資産価値に対する一定補償期間分の損失補償が表章されている投資商品について、買い注文および売り注文を受け付けて約定するための投資商品約定システムであって、前記損失補償の内容および前記投資商品の業者指定売り値と業者指定買い値を含む売買条件を提示し、これに応じた売り方からの売り値と数量を含む売り注文と、買い方からの買い値と数量を含む買い注文とを受け付ける注文受付部と、売買注文の受付終了時点において、前記売買注文のうちから売り買いの値段に基づいて同一数量分ずつ売り注文および買い注文を選択して約定し、約定した売り注文の代金を売り方口座と約定業者口座との間で決済するとともに、約定した買い注文の代金を買い方口座と前記約定業者口座との間で決済する注文約定部と、前記補償期間の満期時に前記有価証券の資産価値を確認し、前記損失補償が必要な場合には、前記投資商品の売買履歴に基づいて、前記損失補償のための損失補償代金を前記売り方口座と前記約定業者口座との間で決済するとともに、前記約定業者口座と前記買い方口座との間で決済する損失補償処理部とを備えている。
【００１０】
また、本発明にかかる上記投資商品約定システムの一構成例は、前記注文約定部が、前記受付終了時点で前記売り注文の数量が前記買い注文の数量より少ない場合、特定の流動性供給業者に対して前記投資商品の調整売りを発注し、これに応じた前記流動性供給業者からの調整売り注文を前記業者指定売り値で受け付けて前記売り注文に加えた後、前記売り注文および前記買い注文のうちから売り買いの値段に基づいて同一数量分ずつ売り注文および買い注文を選択して約定するようにしたものである。
【００１１】
また、本発明にかかる上記投資商品約定システムの一構成例は、前記注文約定部が、前記受付終了時点で前記買い注文の数量が前記売り注文の数量より少ない場合、特定の流動性供給業者に対して前記投資商品の調整買いを発注し、これに応じた前記流動性供給業者からの調整買い注文を前記業者指定買い値で受け付けて前記買い注文に加えた後、前記売り注文および前記買い注文のうちから売り買いの値段に基づいて同一数量分ずつ売り注文および買い注文を選択して約定するようにしたものである。
【００１２】
また、本発明にかかる上記投資商品約定システムの一構成例は、前記注文受付部が、前記売り注文の受付時、前記売り注文の数量分の最大補償額からなる準備補償代金を前記売り方口座の預金から拘束し、前記損失補償処理部は、前記損失補償代金を決済する際、前記売り方口座で拘束されている前記準備補償代金により前記損失補償代金を決済し、前記準備補償代金から前記損失補償代金を差し引いた残額分に関する拘束を解放するようにしたものである。
【００１３】
また、本発明にかかる投資商品約定方法は、有価証券の資産価値に対する一定補償期間分の損失補償が表章されている投資商品について、買い注文および売り注文を受け付けて約定するための投資商品約定システムで用いられる投資商品約定方法であって、売り注文受付部が、前記損失補償の内容および前記投資商品の業者指定売り値と業者指定買い値を含む売買条件を提示し、これに応じた売り方からの売り値と数量を含む売り注文と、買い方からの買い値と数量を含む買い注文とを受け付ける注文受付ステップと、注文約定部が、売買注文の受付終了時点において、前記売買注文のうちから売り買いの値段に基づいて同一数量分ずつ売り注文および買い注文を選択して約定し、約定した売り注文の代金を売り方口座と約定業者口座との間で決済するとともに、約定した買い注文の代金を買い方口座と前記約定業者口座との間で決済する注文約定ステップと、損失補償処理部が、前記補償期間の満期時に前記有価証券の資産価値を確認し、前記損失補償が必要な場合には、前記投資商品の売買履歴に基づいて、前記損失補償のための損失補償代金を前記売り方口座と前記約定業者口座との間で決済するとともに、前記約定業者口座と前記買い方口座との間で決済する損失補償処理ステップとを備えている。
【発明の効果】
【００１４】
本発明によれば、約定業者から投資商品の業者指定売り値と業者指定買い値を含む売買条件が顧客に提示されるとともに、売り注文および買い注文のうちから売り買いの値段に基づいて同一数量分ずつ売り注文および買い注文が選択されて約定される。したがって、顧客が安心して売買注文を出すことができるとともに、約定業者がリスクなく約定サービスを維持継続することが可能となる。
【図面の簡単な説明】
【００１５】
【図１】投資商品約定システムの構成を示すブロック図である。
【図２】投資商品約定動作を示すシーケンス図である。
【図３】投資商品約定システムの動作例を示す説明図である。
【図４】投資商品約定システムの動作例（続き）を示す説明図である。
【発明を実施するための形態】
【００１６】
次に、本発明の一実施の形態について図面を参照して説明する。
［投資商品約定システム］
まず、図１を参照して、本実施の形態にかかる投資商品約定システム１について説明する。図１は、投資商品約定システムの構成を示すブロック図である。
【００１７】
この投資商品約定システム１は、約定業者が有価証券の資産価値に対する一定補償期間分の損失補償が表章されている投資商品に関する取引サービスを提供する際に用いられて、顧客からの投資商品に関する買い注文および売り注文を受け付けて約定するためのシステムである。
投資商品約定システム１には、主な機能部として、注文受付部１１、注文約定部１２、損失補償処理部１３、口座管理部１４、および供給業者端末２０が設けられている。これら機能は、１つまたは複数のサーバ装置から構成してもよく、すべてを別個のサーバ装置から構成してもよい。
【００１８】
注文受付部１１は、顧客が利用する顧客端末３０（３０Ａ，３０Ｂ，…）と通信網ＮＷを介して接続し、Ｗｅｂサービスにより各種データをやり取りする機能と、約定業者が決定した損失補償の内容および投資商品の業者指定売り値と業者指定買い値を含む売買条件を売り方顧客端末３０Ａおよび買い方顧客端末３０Ｂへ提示する機能と、これに応じた売り方となる顧客の指示に基づく売り方顧客端末３０Ａからの売り値および数量を含む売り注文、買い方となる顧客の指示に基づく買い方顧客端末３０Ｂからの買い値および数量を含む買い注文をそれぞれ受け付ける機能とを有している。なお、売買注文としては、具体的な売り値および買い値が指定されたいわゆる指値注文だけではなく、価格指定のない成行注文であってもよい。
【００１９】
注文約定部１２は、注文受付部１１での売買注文の受付終了時点において、受け付けた売買注文のうちから売り買いの値段に基づいて同一数量分ずつ売り注文および買い注文を選択して約定する機能と、約定した売り注文の代金を売り方口座と約定業者の約定業者口座との間で決済する機能と、約定した買い注文の代金を買い方口座と約定業者口座との間で決済する機能と、売り注文の受付時、売り注文の数量分の最大補償額からなる準備補償代金を売り方口座の預金から拘束する機能とを有している。
【００２０】
また、注文約定部１２は、売買注文の受付終了時点で売り注文の数量が買い注文の数量より少ない場合、特定の流動性供給業者の供給業者端末２０に対して投資商品の調整売りを発注する機能と、これに応じた流動性供給業者の指示に基づく供給業者端末２０からの調整売り注文を業者指定売り値で受け付けて売り注文に加えた後、売り注文および買い注文のうちから売り買いの値段に基づいて同一数量分ずつ売り注文および買い注文を選択して約定する機能とを有している。
【００２１】
また、注文約定部１２は、売買注文の受付終了時点で買い注文の数量が売り注文の数量より少ない場合、供給業者端末２０に対して投資商品の調整買いを発注する機能と、これに応じた流動性供給業者の指示に基づく供給業者端末２０からの調整買い注文を業者指定買い値で受け付けて買い注文に加えた後、売り注文および買い注文のうちから売り買いの値段に基づいて同一数量分ずつ売り注文および買い注文を選択して約定する機能とを有している。
【００２２】
損失補償処理部１３は、補償期間の満期時に有価証券の資産価値を確認する機能と、損失補償が必要な場合には、口座管理部１４で管理されている投資商品の売買履歴に基づいて、損失補償のための損失補償代金を売り方口座と約定業者口座との間で決済するとともに、約定業者口座と買い方口座との間で決済する機能とを有している。
【００２３】
口座管理部１４は、データベースを利用して、売り方口座、買い方口座、供給業者口座、および約定業者口座に預け入れされている預金、投資商品、および売買履歴を管理する機能と、注文約定部１２および損失補償処理部１３での決済に応じて対応する口座での入出金（付け替え）を実行して預金残高を更新する機能と、注文約定部１２および損失補償処理部１３での拘束および解放に応じて対応する口座の預金の一部を拘束および解放して預金残高を更新する機能と、注文約定部１２での約定および損失補償処理部１３での損失補償代金決済に応じて対応する口座で管理する投資商品の数量を更新する機能とを有している。
【００２４】
供給業者端末２０は、特定の流動性供給業者が利用する端末装置であり、注文約定部１２から発注された投資商品の調整売りおよび調整買いを受け付ける機能と、これに応じた流動性供給業者の指示に基づく調整売り注文および調整買い注文を注文約定部１２へ通知する機能とを有している。
【００２５】
顧客端末３０は、投資商品の売り方や買い方となる顧客が利用する端末装置であり、注文受付部１１からの通知された、損失補償の内容および投資商品の業者指定売り値と業者指定買い値を含む売買条件を画面表示して顧客に提示する機能と、これに応じた顧客の指示に基づく売り注文および買い注文を注文受付部１１へ通知する機能とを有している。
【００２６】
［本実施の形態の動作］
次に、図２を参照して、本実施の形態にかかる投資商品約定システム１の動作について説明する。図２は、投資商品約定動作を示すシーケンス図である。
投資商品約定システム１は、注文受付開始から一定期間にわたり顧客からの投資商品の売買注文を受け付け、注文受付終了に応じて、受け付けた注文の約定を行う。これら処理は、例えば１日周期で実行される。
【００２７】
まず、注文受付部１１は、注文受付開始時刻の到来に応じて注文受付を開始し（ステップ１００）、売り方顧客端末３０Ａに対して約定業者が予め決定した売り条件を通知する（ステップ１０１）。これに応じて、売り方顧客端末３０Ａは、売り条件を画面表示して売り方となる顧客に提示し、顧客の売り指示に応じて（ステップ１０２）、顧客が指定した売り値と数量を含む売り注文を注文受付部１１へ通知する（ステップ１０３）。
【００２８】
これにより、売り方は、約定業者から指定された投資商品の業者指定売り値を参考にすることができ、顧客が安心して売り注文を出すことができる。なお、注文受付部１１は、売り注文の受付時、売り方口座の預金のうちから、売り条件で提示した最大補償額を売り注文の数量分だけ、準備補償代金として拘束して使用禁止とすることにより、買い方に対する損失補償代金を確保しておく。
【００２９】
また、注文受付部１１は、売り条件の通知と並列して、買い方顧客端末３０Ｂに対して約定業者が予め決定した買い条件を通知する（ステップ１０４）。これに応じて、買い方顧客端末３０Ｂは、買い条件を画面表示して買い方となる顧客に提示し、顧客の買い指示に応じて（ステップ１０５）、顧客が指定した買い値と数量を含む買い注文を注文受付部１１へ通知する（ステップ１０６）。
【００３０】
これにより、買い方は、約定業者から指定された投資商品の業者指定買い値を参考にすることができ、顧客が安心して買い注文を出すことができる。なお、注文受付部１１は、買い注文の受付時、買い方口座の預金のうちから業者指定買い値額を購入数量分だけ、支払い代金として拘束して使用禁止とすることにより、買い方の支払い代金を確保しておく。
【００３１】
また、注文受付部１１は、注文終了時刻の到来に応じて注文受付を終了する（ステップ１０７）。注文約定部１２は、売買注文の受付終了時点において、注文受付部１１で受け付けた売買注文を取得して数量を確認し（ステップ１１０）、例えば売買注文数の差が予め設定されているしきい値以下であり、売買注文の不均衡を是正する必要がない場合（ステップ１１０：ＮＯ）、後述するステップ１１４へ移行する。
【００３２】
一方、例えば売買注文数の差が予め設定されているしきい値より多いなど、売買注文の不均衡を是正する必要がある場合（ステップ１１０：ＹＥＳ）、供給業者端末２０に対して売買条件を含む投資商品の調整売りまたは調整買いを発注する（ステップ１１１）。この際、売り注文の数量が買い注文の数量より少ない場合、供給業者端末２０に対して調整売りを発注し、買い注文の数量が売り注文の数量より少ない場合、供給業者端末２０に対して調整買いを発注する。
【００３３】
供給業者端末２０は、注文約定部１２から発注された投資商品の調整売りまたは調整買いに応じて、その売買条件を画面表示して流動性供給業者に提示し、流動性供給業者の指示に応じて（ステップ１１２）、調整売り注文または調整買い注文を注文約定部１２へ通知する（ステップ１１３）。この際、調整売り注文を受け付けた場合には、売り方顧客の場合と同様にして供給業者口座の一部を拘束して準備補償代金を確保し、調整買い注文を受け付けた場合には、買い方顧客の場合と同様にして供給業者口座の一部を拘束して買い方の支払い代金を確保しておく。
【００３４】
この後、注文約定部１２は、供給業者端末２０からの調整売り注文については業者指定売り値で受け付けて売り注文に加えるとともに、供給業者端末２０からの調整買い注文については業者指定買い値で受け付けて買い注文に加えた後、これら売買注文のうちから売り買いの値段に基づいて同一数量分ずつ売り注文および買い注文を選択して約定する（ステップ１１４）。
【００３５】
この際、注文約定部１２は、前述したオークション方式に基づいて、売り注文と買い注文を相対させて同一数量分だけ約定するとともに、価格指定のない成行注文を価格指定のある指値注文より優先して約定させ、指値注文の中では、買い指値なら一番高い価格の注文、売り指値なら一番低い価格の注文を優先して約定させる。これにより、注文約定部１２は、売り注文および買い注文のうち注文数の少ない注文数に合わせた数量を売買約定数として、同一数量分ずつ売り注文および買い注文を約定することになり、売買約定数が異なった場合に発生しうる約定業者側での損失を回避でき、約定業者のリスクを抑止できる。
【００３６】
この後、注文約定部１２は、約定した売り注文の代金を売り方口座と約定業者口座との間で決済するとともに、売り方で売却した投資商品の数量を売り方口座に関連付けて登録し、約定した買い注文の代金を買い方口座と約定業者口座との間で決済するとともに、買い方で購入した投資商品の数量を買い方口座に関連付けて登録する（ステップ１１５）。この際、買い方口座については、買い注文受付時に拘束しておいた支払い代金を解放するとともに、この支払い代金から先に買い注文の代金を差し引きし、不足金が出た場合には買い方口座から差し引くことになる。
【００３７】
このようにして約定が完了した後、補償期間の満期に応じて（ステップ１２０）、損失補償処理部１３は、補償期間における有価証券の資産価値の損失を確認し（ステップ１２１）、補償期間の開始時に比較して終了時における資産価値が低減していて損失補償が必要な場合には、口座管理部１４で管理されている投資商品の売買履歴に基づいて、損失補償のための損失補償代金を売り方口座（または供給業者口座）と約定業者口座との間で決済するとともに、約定業者口座と買い方口座（または供給業者口座）との間で決済し（ステップ１２２）、一連の投資商品約定動作を終了する。この際、売り方口座について、売り注文受付時に拘束しておいた準備補償代金を解放し、この準備補償代金から損失補償代金を差し引き、余剰金が出た場合には売り方口座に戻ることになる。
【００３８】
［動作例］
次に、図３および図４を参照して、本実施の形態にかかる投資商品約定システム１の動作例について説明する。図３は、投資商品約定システムの動作例を示す説明図である。図４は、投資商品約定システムの動作例（続き）を示す説明図である。
【００３９】
図３に示すように、注文受付の開始に応じて、注文受付部１１から売り方顧客端末３０Ａに対して売り条件が提示されるとともに、買い方顧客端末３０Ｂに対して買い条件が提示される。この例では、約定業者が決定した業者指定売り値が９円で業者指定買い値が１０円であるとし、最大補償額が１００円で補償期間が約定完了から３０日とする。これにより、約定業者は投資商品が１枚約定されるごとに１円＝１０円−９円の売り上げとなる。
【００４０】
ここで、売り方顧客端末３０Ａから売り値８円で５枚分の売り注文を受け付けた場合、注文受付部１１は売り方口座の預金のうちから、準備補償代金５００円＝１００円×５枚分だけ拘束される。
また、買い方顧客端末３０Ｂから買い値１２円で１０枚分の買い注文を受け付けた場合、注文受付部１１は買い方口座の預金のうちから、業者指定買い値が１０円に基づき支払い代金１００円＝１０円×１０枚分だけ拘束される。
【００４１】
こうして注文受付が終了した後、注文約定部１２で注文が集計され、１０円以上の買いが１０枚で、９円以下の売りが５枚であることから、約定可能数が５枚であり売買注文数の差が５枚であると確認される。ここで、売買注文数の差がしきい値４枚より多く売買不均衡であると判定された場合、売り注文数が買い注文数より少ないため、供給業者端末２０に対して調整売りが発注される。
【００４２】
ここで、供給業者端末２０から業者指定売り値９円での２枚分の調整買い注文を受け付けた場合、供給業者口座の預金のうちから、準備補償代金２００円＝１００円×２枚分だけ拘束される。
この後、注文約定部１２で注文が再集計され、１０円以上の買いが１０枚で、９円以下の売りが７枚となり、約定可能数が７枚に増えたことになる。
【００４３】
続いて、注文約定部１２により、売り方、買い方、供給業者の注文主ごとに、約定業者との間で売買注文が約定されることになる。例えば、オークション方式で注文を受け付けた結果、売り値が９円となり、買い値が１０円となった場合、まず、売り注文９円×５枚について売り方と約定業者との間で決済され、約定業者口座で支払い代金４５円＝９円×５枚が出金され、売り方口座にその４５円が入金される。
【００４４】
次に、買い注文１０円×７枚について買い方と約定業者との間で決済され、買い方口座の支払い代金が解放されて７０円＝１０円×７枚が出金され、約定業者口座にその７０円が入金される。次に、また、調整買い注文９円×２枚について供給業者と約定業者との間で決済され、約定業者口座で支払い代金１８円＝９円×２枚が出金され、供給業者口座にその１８円が入金される。
【００４５】
このようにして売買注文が約定された後、約定完了から３０日後の補償期間の満期に応じて、金融商品の資産価値に対する損失補償が行われることになる。この例では、まず、損失補償処理部１３により、３０日分の補償期間における金融商品の値動きが確認され、１枚当たり３０円の損失が発生したものとする。金融商品の値動きについては、例えば通信網ＮＷを介して一般的な市況提供サーバ（図示せず）から取得すればよい。
【００４６】
ここで、損失補償処理部１３により、口座管理部１４で管理されている投資商品の売買履歴が参照されて、この例では、今回満期が来た投資商品が買い方口座に預け入れされており、その数量が７枚であること、そのうち５枚が売り方から売却され、残りの２枚が供給業者から売却されたことが確認され、これら投資商品の売買履歴に基づき損失補償が実施される。
これにより、買い方の損失額は２１０円＝３０円×７枚となり、この損失補償代金が、売り方口座および供給業者口座から約定業者口座に入金されるとともに、約定業者口座から買い方口座へ入金されることになる。
【００４７】
したがって、まず売り方口座の準備補償代金１０００円が解放され、売り方での売却枚数５枚分の損失補償代金１５０円＝３０円×５枚が出金され、残りの８５０円が売り方口座で使用可能となる。また供給業者口座の準備補償代金２００円が解放され、供給業者での売却枚数２枚分の損失補償代金６０円＝３０円×２枚が出金される。そして、これら損失補償代金１５０円および６０円がそれぞれ約定業者口座に入金されるとともに、これらを合わせた損失補償代金２１０円＝１５０円＋６０円が約定業者口座から買い方口座に入金されることになる。
【００４８】
［本実施の形態の効果］
このように、本実施の形態は、注文受付部１１が、損失補償の内容および投資商品の業者指定売り値と業者指定買い値を含む売買条件を提示し、これに応じた売り方からの売り値を指定した売り注文と、買い方からの買い値を指定した買い注文とを受け付け、注文約定部１２が、売り注文および買い注文の受付を終了した受付終了時点において、売り注文および買い注文のうちから売り買いの値段に基づいて同一数量分ずつ売り注文および買い注文を選択して約定し、約定した売り注文の代金を売り方口座と業者の業者口座との間で決済するとともに、約定した買い注文の代金を買い方口座と業者口座との間で決済し、損失補償処理部１３が、補償期間の満期時に有価証券の資産価値を確認し、損失補償が必要な場合には、損失補償のための損失補償代金を売り方口座と約定業者口座との間で決済するとともに、約定業者口座と買い方口座との間で決済するようにしたものである。
【００４９】
これにより、約定業者から投資商品の業者指定売り値と業者指定買い値を含む売買条件が顧客に提示されるとともに、売り注文および買い注文のうちから売り買いの値段に基づいて同一数量分ずつ売り注文および買い注文が選択されて約定される。したがって、顧客が安心して売買注文を出すことができるとともに、約定業者がリスクなく約定サービスを維持継続することが可能となる。
【００５０】
また、本実施の形態において、注文約定部１２が、受付終了時点で売り注文の数量が買い注文の数量より少ない場合、特定の流動性供給業者に対して投資商品の調整売りを発注し、これに応じた流動性供給業者からの調整売り注文を最高売り値で受け付けて売り注文に加えた後、売り注文および買い注文のうちから売り買いの値段に基づいて同一数量分ずつ売り注文および買い注文を選択して約定するようにしてもよい。
【００５１】
あるいは、注文約定部１２が、受付終了時点で買い注文の数量が売り注文の数量より少ない場合、特定の流動性供給業者に対して投資商品の調整買いを発注し、これに応じた流動性供給業者からの調整買い注文を最低買い値で受け付けて買い注文に加えた後、売り注文および買い注文のうちから売り買いの値段に基づいて同一数量分ずつ売り注文および買い注文を選択して約定するようにしてもよい。
【００５２】
これにより、売買注文数の不均衡が大きい場合には、流動性供給業者からの調整売り注文あるいは調整買い注文により不均衡が緩和されて、ある程度の売買約定数が確保されるため、投資商品に流動性を供給することができ、取引市場の活性化に繋がる。また、流動性供給業者は、約定業者からの業者指定買い値あるいは業者指定売り値での売買が確約されるため、一般の顧客と比較して有利な投資ができ、流動性供給業者に対して注文の動機づけを効果的に行うことができる。
【００５３】
また、本実施の形態において、注文受付部１１が、売り注文の受付時、売り注文の数量分の損失補償に関する最大補償額からなる拘束額を売り方口座の預金から拘束し、損失補償処理部１３が、損失補償代金を決済する際、売り方口座で拘束されている拘束額で損失補償代金を決済し、拘束額から損失補償代金を差し引いた残額分に関する拘束を解放するようにしてもよい。
これにより、売り方の預金から買い方に対して損失補償代金を確実に支払うことができ、約定業者のリスクを回避することが可能となる。
【００５４】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。また、各実施形態については、矛盾しない範囲で任意に組み合わせて実施することができる。
【符号の説明】
【００５５】
１…投資商品約定システム、１１…注文受付部、１２…注文約定部、１３…損失補償処理部、１４…口座管理部、２０…供給業者端末、３０…顧客端末、３０Ａ…売り方顧客端末、３０Ｂ…買い方顧客端末、ＮＷ…通信網。
【図１】
2017084228.tif 000003
【図２】
2017084228.tif 000004
【図３】
2017084228.tif 000005
【図４】
2017084228.tif 000006
【手続補正書】
【提出日】平成29年2月14日(2017.2.14)
【手続補正１】
【補正対象書類名】特許請求の範囲
【補正対象項目名】全文
【補正方法】変更
【補正の内容】
【特許請求の範囲】
【請求項１】
有価証券の資産価値に対する一定補償期間分の損失補償が表章されている投資商品について、買い注文および売り注文を受け付けて約定するための投資商品約定システムであって、
前記損失補償の内容および前記投資商品の業者指定売り値と業者指定買い値を含む売買条件を提示し、これに応じた売り方からの売り値と数量を含む売り注文と、買い方からの買い値と数量を含む買い注文とを受け付ける注文受付部と、
売買注文の受付終了時点において、前記売買注文のうちから売り買いの値段に基づいて同一数量分ずつ売り注文および買い注文を選択して約定し、約定した売り注文の代金を売り方口座と約定業者口座との間で決済するとともに、約定した買い注文の代金を買い方口座と前記約定業者口座との間で決済する注文約定部と、
前記補償期間の満期時に前記有価証券の資産価値を確認し、前記損失補償が必要な場合には、前記投資商品の売買履歴に基づいて、前記損失補償のための損失補償代金を前記売り方口座と前記約定業者口座との間で決済するとともに、前記約定業者口座と前記買い方口座との間で決済する損失補償処理部とを備え、
前記注文約定部は、前記受付終了時点で前記売り注文の数量が前記買い注文の数量より少ない場合、特定の流動性供給業者に対して前記投資商品の調整売りを発注し、これに応じた前記流動性供給業者からの調整売り注文を前記業者指定売り値で受け付けて前記売り注文に加えた後、前記売り注文および前記買い注文のうちから売り買いの値段に基づいて同一数量分ずつ売り注文および買い注文を選択して約定する
ことを特徴とする投資商品約定システム。
【請求項２】
有価証券の資産価値に対する一定補償期間分の損失補償が表章されている投資商品について、買い注文および売り注文を受け付けて約定するための投資商品約定システムであって、
前記損失補償の内容および前記投資商品の業者指定売り値と業者指定買い値を含む売買条件を提示し、これに応じた売り方からの売り値と数量を含む売り注文と、買い方からの買い値と数量を含む買い注文とを受け付ける注文受付部と、
売買注文の受付終了時点において、前記売買注文のうちから売り買いの値段に基づいて同一数量分ずつ売り注文および買い注文を選択して約定し、約定した売り注文の代金を売り方口座と約定業者口座との間で決済するとともに、約定した買い注文の代金を買い方口座と前記約定業者口座との間で決済する注文約定部と、
前記補償期間の満期時に前記有価証券の資産価値を確認し、前記損失補償が必要な場合には、前記投資商品の売買履歴に基づいて、前記損失補償のための損失補償代金を前記売り方口座と前記約定業者口座との間で決済するとともに、前記約定業者口座と前記買い方口座との間で決済する損失補償処理部とを備え、
前記注文約定部は、前記受付終了時点で前記買い注文の数量が前記売り注文の数量より少ない場合、特定の流動性供給業者に対して前記投資商品の調整買いを発注し、これに応じた前記流動性供給業者からの調整買い注文を前記業者指定買い値で受け付けて前記買い注文に加えた後、前記売り注文および前記買い注文のうちから売り買いの値段に基づいて同一数量分ずつ売り注文および買い注文を選択して約定する
ことを特徴とする投資商品約定システム。
【請求項３】
有価証券の資産価値に対する一定補償期間分の損失補償が表章されている投資商品について、買い注文および売り注文を受け付けて約定するための投資商品約定システムであって、
前記損失補償の内容および前記投資商品の業者指定売り値と業者指定買い値を含む売買条件を提示し、これに応じた売り方からの売り値と数量を含む売り注文と、買い方からの買い値と数量を含む買い注文とを受け付ける注文受付部と、
売買注文の受付終了時点において、前記売買注文のうちから売り買いの値段に基づいて同一数量分ずつ売り注文および買い注文を選択して約定し、約定した売り注文の代金を売り方口座と約定業者口座との間で決済するとともに、約定した買い注文の代金を買い方口座と前記約定業者口座との間で決済する注文約定部と、
前記補償期間の満期時に前記有価証券の資産価値を確認し、前記損失補償が必要な場合には、前記投資商品の売買履歴に基づいて、前記損失補償のための損失補償代金を前記売り方口座と前記約定業者口座との間で決済するとともに、前記約定業者口座と前記買い方口座との間で決済する損失補償処理部とを備え、
前記注文受付部は、前記売り注文の受付時、前記売り注文の数量分の最大補償額からなる準備補償代金を前記売り方口座の預金から拘束し、
前記損失補償処理部は、前記損失補償代金を決済する際、前記売り方口座で拘束されている前記準備補償代金により前記損失補償代金を決済し、前記準備補償代金から前記損失補償代金を差し引いた残額分に関する拘束を解放する
ことを特徴とする投資商品約定システム。
【請求項４】
有価証券の資産価値に対する一定補償期間分の損失補償が表章されている投資商品について、買い注文および売り注文を受け付けて約定するための投資商品約定システムで用いられる投資商品約定方法であって、
売り注文受付部が、前記損失補償の内容および前記投資商品の業者指定売り値と業者指定買い値を含む売買条件を提示し、これに応じた売り方からの売り値と数量を含む売り注文と、買い方からの買い値と数量を含む買い注文とを受け付ける注文受付ステップと、
注文約定部が、売買注文の受付終了時点において、前記売買注文のうちから売り買いの値段に基づいて同一数量分ずつ売り注文および買い注文を選択して約定し、約定した売り注文の代金を売り方口座と約定業者口座との間で決済するとともに、約定した買い注文の代金を買い方口座と前記約定業者口座との間で決済する注文約定ステップと、
損失補償処理部が、前記補償期間の満期時に前記有価証券の資産価値を確認し、前記損失補償が必要な場合には、前記投資商品の売買履歴に基づいて、前記損失補償のための損失補償代金を前記売り方口座と前記約定業者口座との間で決済するとともに、前記約定業者口座と前記買い方口座との間で決済する損失補償処理ステップとを備え、
前記注文約定ステップは、前記受付終了時点で前記売り注文の数量が前記買い注文の数量より少ない場合、特定の流動性供給業者に対して前記投資商品の調整売りを発注し、これに応じた前記流動性供給業者からの調整売り注文を前記業者指定売り値で受け付けて前記売り注文に加えた後、前記売り注文および前記買い注文のうちから売り買いの値段に基づいて同一数量分ずつ売り注文および買い注文を選択して約定する
ことを特徴とする投資商品約定方法。
【請求項５】
有価証券の資産価値に対する一定補償期間分の損失補償が表章されている投資商品について、買い注文および売り注文を受け付けて約定するための投資商品約定システムで用いられる投資商品約定方法であって、
売り注文受付部が、前記損失補償の内容および前記投資商品の業者指定売り値と業者指定買い値を含む売買条件を提示し、これに応じた売り方からの売り値と数量を含む売り注文と、買い方からの買い値と数量を含む買い注文とを受け付ける注文受付ステップと、
注文約定部が、売買注文の受付終了時点において、前記売買注文のうちから売り買いの値段に基づいて同一数量分ずつ売り注文および買い注文を選択して約定し、約定した売り注文の代金を売り方口座と約定業者口座との間で決済するとともに、約定した買い注文の代金を買い方口座と前記約定業者口座との間で決済する注文約定ステップと、
損失補償処理部が、前記補償期間の満期時に前記有価証券の資産価値を確認し、前記損失補償が必要な場合には、前記投資商品の売買履歴に基づいて、前記損失補償のための損失補償代金を前記売り方口座と前記約定業者口座との間で決済するとともに、前記約定業者口座と前記買い方口座との間で決済する損失補償処理ステップとを備え、
前記注文約定ステップは、前記受付終了時点で前記買い注文の数量が前記売り注文の数量より少ない場合、特定の流動性供給業者に対して前記投資商品の調整買いを発注し、これに応じた前記流動性供給業者からの調整買い注文を前記業者指定買い値で受け付けて前記買い注文に加えた後、前記売り注文および前記買い注文のうちから売り買いの値段に基づいて同一数量分ずつ売り注文および買い注文を選択して約定する
ことを特徴とする投資商品約定方法。
【請求項６】
有価証券の資産価値に対する一定補償期間分の損失補償が表章されている投資商品について、買い注文および売り注文を受け付けて約定するための投資商品約定システムで用いられる投資商品約定方法であって、
売り注文受付部が、前記損失補償の内容および前記投資商品の業者指定売り値と業者指定買い値を含む売買条件を提示し、これに応じた売り方からの売り値と数量を含む売り注文と、買い方からの買い値と数量を含む買い注文とを受け付ける注文受付ステップと、
注文約定部が、売買注文の受付終了時点において、前記売買注文のうちから売り買いの値段に基づいて同一数量分ずつ売り注文および買い注文を選択して約定し、約定した売り注文の代金を売り方口座と約定業者口座との間で決済するとともに、約定した買い注文の代金を買い方口座と前記約定業者口座との間で決済する注文約定ステップと、
損失補償処理部が、前記補償期間の満期時に前記有価証券の資産価値を確認し、前記損失補償が必要な場合には、前記投資商品の売買履歴に基づいて、前記損失補償のための損失補償代金を前記売り方口座と前記約定業者口座との間で決済するとともに、前記約定業者口座と前記買い方口座との間で決済する損失補償処理ステップとを備え、
前記注文受付ステップは、前記売り注文の受付時、前記売り注文の数量分の最大補償額からなる準備補償代金を前記売り方口座の預金から拘束し、
前記損失補償処理ステップは、前記損失補償代金を決済する際、前記売り方口座で拘束されている前記準備補償代金により前記損失補償代金を決済し、前記準備補償代金から前記損失補償代金を差し引いた残額分に関する拘束を解放する
ことを特徴とする投資商品約定方法。
【手続補正２】
【補正対象書類名】明細書
【補正対象項目名】００１０
【補正方法】変更
【補正の内容】
【００１０】
これに加えて、前記注文約定部が、前記受付終了時点で前記売り注文の数量が前記買い注文の数量より少ない場合、特定の流動性供給業者に対して前記投資商品の調整売りを発注し、これに応じた前記流動性供給業者からの調整売り注文を前記業者指定売り値で受け付けて前記売り注文に加えた後、前記売り注文および前記買い注文のうちから売り買いの値段に基づいて同一数量分ずつ売り注文および買い注文を選択して約定するようにしたものである。
【手続補正３】
【補正対象書類名】明細書
【補正対象項目名】００１１
【補正方法】変更
【補正の内容】
【００１１】
また、本発明にかかる他の投資商品約定システムは、有価証券の資産価値に対する一定補償期間分の損失補償が表章されている投資商品について、買い注文および売り注文を受け付けて約定するための投資商品約定システムであって、前記損失補償の内容および前記投資商品の業者指定売り値と業者指定買い値を含む売買条件を提示し、これに応じた売り方からの売り値と数量を含む売り注文と、買い方からの買い値と数量を含む買い注文とを受け付ける注文受付部と、売買注文の受付終了時点において、前記売買注文のうちから売り買いの値段に基づいて同一数量分ずつ売り注文および買い注文を選択して約定し、約定した売り注文の代金を売り方口座と約定業者口座との間で決済するとともに、約定した買い注文の代金を買い方口座と前記約定業者口座との間で決済する注文約定部と、前記補償期間の満期時に前記有価証券の資産価値を確認し、前記損失補償が必要な場合には、前記投資商品の売買履歴に基づいて、前記損失補償のための損失補償代金を前記売り方口座と前記約定業者口座との間で決済するとともに、前記約定業者口座と前記買い方口座との間で決済する損失補償処理部とを備え、前記注文約定部が、前記受付終了時点で前記買い注文の数量が前記売り注文の数量より少ない場合、特定の流動性供給業者に対して前記投資商品の調整買いを発注し、これに応じた前記流動性供給業者からの調整買い注文を前記業者指定買い値で受け付けて前記買い注文に加えた後、前記売り注文および前記買い注文のうちから売り買いの値段に基づいて同一数量分ずつ売り注文および買い注文を選択して約定するようにしたものである。
【手続補正４】
【補正対象書類名】明細書
【補正対象項目名】００１２
【補正方法】変更
【補正の内容】
【００１２】
また、本発明にかかる他の投資商品約定システムは、有価証券の資産価値に対する一定補償期間分の損失補償が表章されている投資商品について、買い注文および売り注文を受け付けて約定するための投資商品約定システムであって、前記損失補償の内容および前記投資商品の業者指定売り値と業者指定買い値を含む売買条件を提示し、これに応じた売り方からの売り値と数量を含む売り注文と、買い方からの買い値と数量を含む買い注文とを受け付ける注文受付部と、売買注文の受付終了時点において、前記売買注文のうちから売り買いの値段に基づいて同一数量分ずつ売り注文および買い注文を選択して約定し、約定した売り注文の代金を売り方口座と約定業者口座との間で決済するとともに、約定した買い注文の代金を買い方口座と前記約定業者口座との間で決済する注文約定部と、前記補償期間の満期時に前記有価証券の資産価値を確認し、前記損失補償が必要な場合には、前記投資商品の売買履歴に基づいて、前記損失補償のための損失補償代金を前記売り方口座と前記約定業者口座との間で決済するとともに、前記約定業者口座と前記買い方口座との間で決済する損失補償処理部とを備え、前記注文受付部が、前記売り注文の受付時、前記売り注文の数量分の最大補償額からなる準備補償代金を前記売り方口座の預金から拘束し、前記損失補償処理部は、前記損失補償代金を決済する際、前記売り方口座で拘束されている前記準備補償代金により前記損失補償代金を決済し、前記準備補償代金から前記損失補償代金を差し引いた残額分に関する拘束を解放するようにしたものである。
【手続補正５】
【補正対象書類名】明細書
【補正対象項目名】００１３
【補正方法】変更
【補正の内容】
【００１３】
また、本発明にかかる投資商品約定方法は、有価証券の資産価値に対する一定補償期間分の損失補償が表章されている投資商品について、買い注文および売り注文を受け付けて約定するための投資商品約定システムで用いられる投資商品約定方法であって、売り注文受付部が、前記損失補償の内容および前記投資商品の業者指定売り値と業者指定買い値を含む売買条件を提示し、これに応じた売り方からの売り値と数量を含む売り注文と、買い方からの買い値と数量を含む買い注文とを受け付ける注文受付ステップと、注文約定部が、売買注文の受付終了時点において、前記売買注文のうちから売り買いの値段に基づいて同一数量分ずつ売り注文および買い注文を選択して約定し、約定した売り注文の代金を売り方口座と約定業者口座との間で決済するとともに、約定した買い注文の代金を買い方口座と前記約定業者口座との間で決済する注文約定ステップと、損失補償処理部が、前記補償期間の満期時に前記有価証券の資産価値を確認し、前記損失補償が必要な場合には、前記投資商品の売買履歴に基づいて、前記損失補償のための損失補償代金を前記売り方口座と前記約定業者口座との間で決済するとともに、前記約定業者口座と前記買い方口座との間で決済する損失補償処理ステップとを備え、前記注文約定ステップは、前記受付終了時点で前記売り注文の数量が前記買い注文の数量より少ない場合、特定の流動性供給業者に対して前記投資商品の調整売りを発注し、これに応じた前記流動性供給業者からの調整売り注文を前記業者指定売り値で受け付けて前記売り注文に加えた後、前記売り注文および前記買い注文のうちから売り買いの値段に基づいて同一数量分ずつ売り注文および買い注文を選択して約定するようにしたものである。
また、本発明にかかる他の投資商品約定方法は、有価証券の資産価値に対する一定補償期間分の損失補償が表章されている投資商品について、買い注文および売り注文を受け付けて約定するための投資商品約定システムで用いられる投資商品約定方法であって、売り注文受付部が、前記損失補償の内容および前記投資商品の業者指定売り値と業者指定買い値を含む売買条件を提示し、これに応じた売り方からの売り値と数量を含む売り注文と、買い方からの買い値と数量を含む買い注文とを受け付ける注文受付ステップと、注文約定部が、売買注文の受付終了時点において、前記売買注文のうちから売り買いの値段に基づいて同一数量分ずつ売り注文および買い注文を選択して約定し、約定した売り注文の代金を売り方口座と約定業者口座との間で決済するとともに、約定した買い注文の代金を買い方口座と前記約定業者口座との間で決済する注文約定ステップと、損失補償処理部が、前記補償期間の満期時に前記有価証券の資産価値を確認し、前記損失補償が必要な場合には、前記投資商品の売買履歴に基づいて、前記損失補償のための損失補償代金を前記売り方口座と前記約定業者口座との間で決済するとともに、前記約定業者口座と前記買い方口座との間で決済する損失補償処理ステップとを備え、前記注文約定ステップは、前記受付終了時点で前記買い注文の数量が前記売り注文の数量より少ない場合、特定の流動性供給業者に対して前記投資商品の調整買いを発注し、これに応じた前記流動性供給業者からの調整買い注文を前記業者指定買い値で受け付けて前記買い注文に加えた後、前記売り注文および前記買い注文のうちから売り買いの値段に基づいて同一数量分ずつ売り注文および買い注文を選択して約定するようにしたものである。
また、本発明にかかる他の投資商品約定方法は、有価証券の資産価値に対する一定補償期間分の損失補償が表章されている投資商品について、買い注文および売り注文を受け付けて約定するための投資商品約定システムで用いられる投資商品約定方法であって、売り注文受付部が、前記損失補償の内容および前記投資商品の業者指定売り値と業者指定買い値を含む売買条件を提示し、これに応じた売り方からの売り値と数量を含む売り注文と、買い方からの買い値と数量を含む買い注文とを受け付ける注文受付ステップと、注文約定部が、売買注文の受付終了時点において、前記売買注文のうちから売り買いの値段に基づいて同一数量分ずつ売り注文および買い注文を選択して約定し、約定した売り注文の代金を売り方口座と約定業者口座との間で決済するとともに、約定した買い注文の代金を買い方口座と前記約定業者口座との間で決済する注文約定ステップと、損失補償処理部が、前記補償期間の満期時に前記有価証券の資産価値を確認し、前記損失補償が必要な場合には、前記投資商品の売買履歴に基づいて、前記損失補償のための損失補償代金を前記売り方口座と前記約定業者口座との間で決済するとともに、前記約定業者口座と前記買い方口座との間で決済する損失補償処理ステップとを備え、前記注文受付ステップは、前記売り注文の受付時、前記売り注文の数量分の最大補償額からなる準備補償代金を前記売り方口座の預金から拘束し、前記損失補償処理ステップは、前記損失補償代金を決済する際、前記売り方口座で拘束されている前記準備補償代金により前記損失補償代金を決済し、前記準備補償代金から前記損失補償代金を差し引いた残額分に関する拘束を解放するようにしたものである。